(57)【特許請求の範囲】
【請求項１】
複数の駆動信号をそれぞれ伝達する複数の入力経路と、当該入力経路と一対一に対応して設けた複数の出力バッファーと、を備える出力バッファー回路であって、
前記複数の出力バッファーは、それぞれ、前記入力経路と電気的に接続される制御部と、当該制御部と一対一に対応し、且つ前記制御部と電気的に接続される出力部と、を備え、
同一の前記出力バッファーが備える前記制御部と前記出力部とを電気的に接続させる第一入力経路接続モードと、前記制御部の一つと当該制御部に対応する前記出力部を含む複数の出力部とを電気的に接続させる第二入力経路接続モードと、を切り替える入力経路切り替え手段を備えることを特徴とする出力バッファー回路。
【発明の詳細な説明】
【技術分野】
【０００１】
本発明は、Ｃ−ＭＯＳディジタル集積回路を用いてマルチチャンネルの信号処理を行う出力バッファー回路に関する。
【背景技術】
【０００２】
一般的に、出力バッファー回路、特に、Ｃ−ＭＯＳディジタル集積回路（以下、「Ｃ−ＭＯＳＩＣ」と記載する）を用いて、マルチチャンネルの信号処理を行う出力バッファー回路には、用途や負荷に応じて、ドライブ能力の増加が必要とされる場合がある。なお、「ドライブ能力」とは、スピーカー等の負荷を駆動する能力である。
出力バッファー回路のドライブ能力を増加させる方法としては、例えば、出力バッファー回路が備える出力バッファーの面積・体積・部品点数を増加させることにより、出力バッファー回路の出力インピーダンスを低インピーダンス化する方法がある。この場合、出力インピーダンスを低インピーダンス化した分に応じて、出力バッファー回路の出力電圧が増加するため、出力バッファー回路の最大出力電流が増加することとなる。
【０００３】
また、アプリケーション上の都合によって出力負荷の特性が変化する場合に対し、例えば、特許文献１及び２に記載されているような、一つの出力バッファー回路で対応する方法が提案されている。
これらの方法は、出力バッファー回路の構成を、通常使用する出力バッファーに加え、制御信号によって選択・加算が可能な複数の出力バッファーを備える構成とする。そして、必要に応じて、通常使用する出力バッファーに加え、複数の出力バッファーを、制御信号により必要に応じて選択・加算する。これにより、出力バッファー回路のドライブ能力を可変させるものである。
【特許文献１】特開平５−２２６９４８号公報
【特許文献２】特開平５−２６８０５０号公報
【発明の開示】
【発明が解決しようとする課題】
【０００４】
ところで、出力バッファー回路、特に音声信号の再生に用いる出力バッファー回路では、音声信号の出力状態に応じて、最大出力電力を可能な限り増加させたいという要求がある。これに加え、基板の面積を減少させて、基板のコストを抑制するために、出力バッファーの実装面積を縮小させたいという要求もある。
したがって、ドライブ能力の増加と出力バッファーの面積・体積・部品点数との間において、トレードオフの関係が発生することとなる。特に、出力バッファー回路に要求される負荷が大きい場合には、基板上に配置するその他の回路素子と比較して、出力バッファーの面積が占める割合が大きくなるため、上述したトレードオフの関係が、より顕著に表れる。これは、ドライブ能力を増加させる要求に対して、出力バッファーの面積を増加させる場合、出力バッファー回路に要求される負荷の増加に応じて、出力バッファーの面積を増加させる必要があるためである。
本発明は、上記のような問題点に着目してなされたもので、出力バッファーの面積・体積・部品点数の増加を抑制するとともに、出力バッファー回路のドライブ能力を向上させることが可能な出力バッファー回路を提供することを課題とする。
【課題を解決するための手段】
【０００５】
上記課題を解決するために、本発明のうち、請求項１に記載した発明は、複数の駆動信号をそれぞれ伝達する複数の入力経路と、当該入力経路と一対一に対応して設けた複数の出力バッファーと、を備える出力バッファー回路であって、
前記複数の出力バッファーは、それぞれ、前記入力経路と電気的に接続される制御部と、当該制御部と一対一に対応し、且つ前記制御部と電気的に接続される出力部と、を備え、
同一の前記出力バッファーが備える前記制御部と前記出力部とを電気的に接続させる第一入力経路接続モードと、前記制御部の一つと当該制御部に対応する前記出力部を含む複数の出力部とを電気的に接続させる第二入力経路接続モードと、を切り替える入力経路切り替え手段を備えることを特徴とするものである。
【０００６】
本発明によると、制御部の一つと、当該制御部に対応する出力部を含む複数の出力部とを電気的に接続させることにより、制御部の一つが伝達する一種類の駆動信号を、複数の出力部で増幅させることが可能となる。
【発明の効果】
【０００７】
本発明によれば、対応する駆動信号の入力を受けない出力バッファーを用いて、駆動信号を増幅させることが可能となるため、出力バッファーの面積・体積・部品点数の増加を抑制するとともに、出力バッファー回路のドライブ能力を向上させることが可能となる。
【発明を実施するための最良の形態】
【０００８】
以下、本発明の実施形態について、図面を参照しつつ説明する。
（第一実施形態）
まず、本発明の第一実施形態について、図面を参照しつつ説明する。
（構成）
まず、図１及び図２を参照して、本実施形態の構成を説明する。
図１及び図２は、本実施形態の出力バッファー回路１の構成を示す図である。
図１及び図２中に示すように、出力バッファー回路１は、ステレオスピーカーの再生回路であり、ＢＴＬ（Ｂａｌａｎｃｅｄ  Ｔｒａｎｓｆｏｒｍａｅｒ−Ｌｅｓｓ）接続により、図外の入力機器（マイクロフォン等）からの入力信号に応じて、第一負荷２ａ及び第二負荷２ｂを駆動させる回路である。なお、本実施形態では、第一負荷２ａ及び第二負荷２ｂを、スピーカーとした場合について説明する。また、第一負荷２ａ及び第二負荷２ｂのうち、第一負荷２ａを、Ｌｃｈ（左チャンネル）のスピーカーとし、第二負荷２ｂを、Ｒｃｈ（右チャンネル）のスピーカーとした場合について説明する。
【０００９】
また、以下の説明では、第一負荷２ａ及び第二負荷２ｂの両方を駆動させる場合を、「ステレオモード」と記載し、第一負荷２ａ及び第二負荷２ｂのうち、第一負荷２ａのみを駆動させる場合を、「モノラルモード」と記載して説明する。なお、図１は、ステレオモードにおける出力バッファー回路１の状態を示す図であり、図２は、モノラルモードにおける出力バッファー回路１の状態を示す図である。
【００１０】
ここで、ＢＴＬ接続の利点について説明する。
一般的に、信号の最大振幅は、それぞれ、出力バッファー回路１の電源電圧による制限を受ける。しかしながら、ＢＴＬ接続により第一負荷２ａ及び第二負荷２ｂから音声を出力した場合は、プラスマイナスの平衡信号で第一負荷２ａ及び第二負荷２ｂを駆動するため、第一負荷２ａ及び第二負荷２ｂの端部で約２倍の最大振幅を得ることが可能となるという利点がある。また、第一負荷２ａ及び第二負荷２ｂの端部に至るまでの経路上で平衡信号に乗る同相ノイズは、第一負荷２ａ及び第二負荷２ｂの端部における差動信号に影響を与えないという利点もある。
【００１１】
以下、出力バッファー回路１の構成の説明に復帰する。
出力バッファー回路１は、四系統の入力経路４ａ〜４ｄと、四個の出力バッファー６ａ〜６ｄと、入力経路切り替え手段８と、出力経路切り替え手段１０とを備えている。
四系統の入力経路４ａ〜４ｄは、それぞれ、入力機器から入力された駆動信号を伝達する。なお、図中及び以下の説明では、入力経路４ａを、「第一入力経路４ａ」、入力経路４ｂを、「第二入力経路４ｂ」、入力経路４ｃを、「第三入力経路４ｃ」、入力経路４ｄを、「第四入力経路４ｄ」と記載して説明する。
【００１２】
第一入力経路４ａは、第一負荷２ａを駆動させるための第一駆動信号（図中では、「ＬＩＮ＋信号」と記載する）を伝達し、第二入力経路４ｂは、第二負荷２ｂを駆動させるための第二駆動信号（図中では、「ＲＩＮ＋信号」と記載する）を伝達する。また、第三入力経路４ｃは、第一駆動信号と逆位相の第三駆動信号（図中では、「ＬＩＮ−信号」と記載する）を伝達し、第四入力経路４ｄは、第二駆動信号と逆位相の第四駆動信号（図中では、「ＲＩＮ−信号」と記載する）を伝達する。
【００１３】
四個の出力バッファー６ａ〜６ｄは、それぞれ、四系統の入力経路４ａ〜４ｄと一対一に対応させて設けてあり、入力された駆動信号を増幅して、四つの外部出力端子１２ａ〜１２ｄから出力する。なお、図中及び以下の説明では、出力バッファー６ａを、「第一出力バッファー６ａ」、出力バッファー６ｂを、「第二出力バッファー６ｂ」、出力バッファー６ｃを、「第三出力バッファー６ｃ」、出力バッファー６ｄを、「第四出力バッファー６ｄ」と記載して説明する。
【００１４】
第一出力バッファー６ａは、第一入力経路４ａと対応し、第二出力バッファー６ｂは、第二入力経路４ｂと対応する。また、第三出力バッファー６ｃは、第三入力経路４ｃと対応し、第四出力バッファー６ｄは、第四入力経路４ｄと対応する。
四つの外部出力端子１２ａ〜１２ｄは、それぞれ、四個の出力バッファー６ａ〜６ｄと一対一に対応させて設けてある。なお、図中及び以下の説明では、外部出力端子１２ａを、「第一外部出力端子１２ａ」、外部出力端子１２ｂを、「第二外部出力端子１２ｂ」、外部出力端子１２ｃを、「第三外部出力端子１２ｃ」、外部出力端子１２ｄを、「第四外部出力端子１２ｄ」と記載して説明する。
【００１５】
第一外部出力端子１２ａは、第一出力バッファー６ａと対応し、第二外部出力端子１２ｂは、第二出力バッファー６ｂと対応する。また、第三外部出力端子１２ｃは、第三出力バッファー６ｃと対応し、第四外部出力端子１２ｄは、第四出力バッファー６ｄと対応する。
また、第一外部出力端子１２ａは、第一負荷２ａの正（＋）極側と電気的に接続しており、第三外部出力端子１２ｃは、第一負荷２ａの負（−）極側と電気的に接続している。
【００１６】
一方、第二外部出力端子１２ｂは、後述する第一出力経路切り替え手段１０ａを介して、第一負荷２ａの正極側または第二負荷２ｂの正極側と電気的に接続している。また、第四外部出力端子１２ｄは、後述する第二出力経路切り替え手段１０ｂを介して、第一負荷２ａの負極側または第二負荷２ｂの負極側と電気的に接続している。
ここで、第一負荷２ａは、第一入力経路４ａ及び第一出力バッファー６ａと、第三入力経路４ｃ及び第三出力バッファー６ｃに対応している。また、第二負荷２ｂは、第二入力経路４ｂ及び第二出力バッファー６ｂと、第四入力経路４ｄ及び第四出力バッファー６ｄに対応している。
【００１７】
入力経路切り替え手段８は、第一入力経路切り替え手段８ａと、第二入力経路切り替え手段８ｂとを備えている。第一入力経路切り替え手段８ａ及び第二入力経路切り替え手段８ｂは、例えば、スイッチング素子により形成する。
第一入力経路切り替え手段８ａは、図外のモード切り替え部から入力される切り替え制御信号に応じて、第一入力経路４ａ及び第二入力経路４ｂと第二出力バッファー６ｂとの電気的な接続状態を、第一入力経路接続モードまたは第二入力経路接続モードに切り替える。
【００１８】
なお、上記のモード切り替え部は、例えば、切り替え式のスイッチを備え、このスイッチの操作状態に応じて、第一入力経路切り替え手段８ａへ、第一入力経路接続モードまたは第二入力経路接続モードへの切り替えを行う切り替え制御信号を出力する。また、スイッチの操作状態とは、上述したステレオモードまたはモノラルモードの切り替え状態を指す。そして、モード切り替え部は、スイッチの操作状態がステレオモードである場合、第一入力経路切り替え手段８ａへ、第一入力経路接続モードへの切り替えを行う切り替え制御信号（以下、「第一切り替え制御信号」と記載する）を出力する。また、モード切り替え部は、スイッチの操作状態がモノラルモードである場合、第一入力経路切り替え手段８ａへ、第二入力経路接続モードへの切り替えを行う切り替え制御信号（以下、「第二切り替え制御信号」と記載する）を出力する。なお、モード切り替え部の構成は、外部から信号の入力を受けて、第一入力経路接続モードまたは第二入力経路接続モードへの切り替えを行う構成に限定するものではなく、例えば、レバー式やボタン式等、手動操作により、第一入力経路接続モードまたは第二入力経路接続モードへの切り替えを行う構成としてもよい。
【００１９】
具体的には、第一入力経路接続モードでは、第二入力経路４ｂ及び第二出力バッファー６ｂを電気的に接続させ、第二入力経路接続モードでは、第一入力経路４ａ及び第二出力バッファー６ｂを電気的に接続させる。
第二入力経路切り替え手段８ｂは、第一入力経路切り替え手段８ａと同様、モード切り替え部から入力される切り替え制御信号に応じて、第三入力経路４ｃ及び第四入力経路４ｄと第四出力バッファー６ｄとの電気的な接続状態を、第一入力経路接続モードまたは第二入力経路接続モードに切り替える。
具体的には、第一入力経路接続モードでは、第四入力経路４ｄ及び第四出力バッファー６ｄを電気的に接続させ、第二入力経路接続モードでは、第三入力経路４ｃ及び第四出力バッファー６ｄを電気的に接続させる。
【００２０】
以上により、入力経路切り替え手段８は、第一入力経路接続モードでは、入力経路４の一つと、この入力経路４に対応する出力バッファー６とを、それぞれ電気的に接続させる。また、第二入力経路接続モードでは、入力経路４の一つと、この入力経路４に対応する出力バッファー６を含む複数の出力バッファー６とを電気的に接続させる。
出力経路切り替え手段１０は、第一出力経路切り替え手段１０ａと、第二出力経路切り替え手段１０ｂとを備えている。第一出力経路切り替え手段１０ａ及び第二出力経路切り替え手段１０ｂは、第一入力経路切り替え手段８ａ及び第二入力経路切り替え手段８ｂと同様、例えば、スイッチング素子により形成する。
【００２１】
第一出力経路切り替え手段１０ａは、第一入力経路切り替え手段８ａの状態に応じて、第二出力バッファー６ｂと第一負荷２ａ及び第二負荷２ｂとの電気的な接続状態を切り替える。なお、第一入力経路切り替え手段８ａの状態を検出する手段としては、例えば、第一入力経路切り替え手段８ａと同様、モード切り替え部から入力される切り替え制御信号を受信し、この受信した切り替え制御信号に応じて、第一入力経路切り替え手段８ａの状態を検出する。
具体的には、第一入力経路切り替え手段８ａが第一入力経路接続モードである場合に、第二出力バッファー６ｂ及び第二負荷２ｂを電気的に接続させ、第一入力経路切り替え手段８ａが第二入力経路接続モードである場合に、第二出力バッファー６ｂ及び第一負荷２ａを電気的に接続させる。
【００２２】
第二出力経路切り替え手段１０ｂは、第二入力経路切り替え手段８ｂの状態に応じて、第四出力バッファー６ｄと第一負荷２ａ及び第二負荷２ｂとの電気的な接続状態を切り替える。なお、第二入力経路切り替え手段８ｂの状態を検出する手段としては、例えば、第一出力経路切り替え手段１０ａと同様、モード切り替え部から入力される切り替え制御信号に応じて、第二入力経路切り替え手段８ｂの状態を検出する。
具体的には、第二入力経路切り替え手段８ｂが第一入力経路接続モードである場合に、第四出力バッファー６ｄ及び第二負荷２ｂを電気的に接続させ、第二入力経路切り替え手段８ｂが第二入力経路接続モードである場合に、第四出力バッファー６ｄ及び第一負荷２ａを電気的に接続させる。
【００２３】
以上により、出力経路切り替え手段１０は、入力経路切り替え手段８が第一入力経路接続モードである場合に、出力バッファー６と、その出力バッファー６に対応する負荷２とを、それぞれ電気的に接続させる。また、入力経路切り替え手段８が第二入力経路接続モードである場合に、第二入力経路接続モードにおいて入力経路４の一つである複列接続入力経路（本実施形態では、第一入力経路４ａと第三入力経路４ｃ）と電気的に接続させた複数の出力バッファー６と、複列接続入力経路に対応する負荷２とを電気的に接続させる。
【００２４】
（動作）
次に、図１及び図２を参照しつつ、上記の構成を備えた出力バッファー回路１の動作について説明する。
まず、図１を参照して、ステレオモードとモノラルモードに共通する出力バッファー回路１の動作について説明する。
ステレオモード及びモノラルモードでは、第一入力経路４ａが伝達する第一駆動信号を、第一出力バッファー６ａへ入力するとともに、第三入力経路４ｃが伝達する第三駆動信号を、第三出力バッファー６ｃへ入力する。
【００２５】
そして、第一出力バッファー６ａは、入力された第一駆動信号を増幅し、第三出力バッファー６ｃは、入力された第三駆動信号を増幅する。
次に、第一出力バッファー６ａが増幅した第一駆動信号を、第一外部出力端子１２ａを介して第一負荷２ａの正極側へ出力するとともに、第三出力バッファー６ｃが増幅した第三駆動信号を、第三外部出力端子１２ｃを介して第一負荷２ａ負極側へ出力する。
以上により、ステレオモード及びモノラルモードでは、共に、第一駆動信号及び第三駆動信号を、それぞれ、第一出力バッファー６ａ及び第三出力バッファー６ｃで増幅し、第一負荷２ａへ平衡出力する。
【００２６】
次に、図１を参照して、ステレオモードにおける出力バッファー回路１の動作について説明する。
ステレオモードでは、モード切り替え部が、第一入力経路切り替え手段８ａ、第二入力経路切り替え手段８ｂ、第一出力経路切り替え手段１０ａ及び第二出力経路切り替え手段１０ｂへ、第一切り替え制御信号を出力する。
第一切り替え制御信号の入力を受けた第一入力経路切り替え手段８ａは、第二入力経路４ｂ及び第二出力バッファー６ｂを電気的に接続させる。これにより、第二入力経路４ｂが伝達する第二駆動信号を、第二出力バッファー６ｂへ入力する。そして、第二出力バッファー６ｂは、入力された第二駆動信号を増幅する。
【００２７】
また、第一切り替え制御信号の入力を受けた第二入力経路切り替え手段８ｂは、第四入力経路４ｄ及び第四出力バッファー６ｄを電気的に接続させる。これにより、第四入力経路４ｄが伝達する第四駆動信号を、第四出力バッファー６ｄへ入力する。そして、第四出力バッファー６ｄは、入力された第四駆動信号を増幅する。
一方、第一切り替え制御信号の入力を受けた第一出力経路切り替え手段１０ａは、第二出力バッファー６ｂ及び第二負荷２ｂを電気的に接続させる。これにより、第二出力バッファー６ｂが増幅した第二駆動信号を、第二外部出力端子１２ｂを介して第二負荷２ｂの正極側へ出力する。
また、第一切り替え制御信号の入力を受けた第二出力経路切り替え手段１０ｂは、第四出力バッファー６ｄ及び第二負荷２ｂを電気的に接続させる。これにより、第四出力バッファー６ｄが増幅した第四駆動信号を、第四外部出力端子１２ｄを介して第二負荷２ｂの負極側へ出力する。
【００２８】
以上により、ステレオモードでは、増幅した第一駆動信号及び第三駆動信号を第一負荷２ａへ平衡出力するとともに、第二駆動信号及び第四駆動信号を、それぞれ、第二出力バッファー６ｂ及び第四出力バッファー６ｄで増幅し、第二負荷２ｂへ平衡出力する。
したがって、ステレオモードでは、第一負荷２ａに対し、一個の出力バッファー６が増幅した第一駆動信号及び第三駆動信号を平衡出力するとともに、第二負荷２ｂに対し、一個の出力バッファー６が増幅した第二駆動信号及び第四駆動信号を、平衡出力する。
【００２９】
次に、図２を参照して、モノラルモードにおける出力バッファー回路１の動作について説明する。
モノラルモードでは、モード切り替え部が、第一入力経路切り替え手段８ａ、第二入力経路切り替え手段８ｂ、第一出力経路切り替え手段１０ａ及び第二出力経路切り替え手段１０ｂへ、第二切り替え制御信号を出力する。
第二切り替え制御信号の入力を受けた第一入力経路切り替え手段８ａは、第一入力経路４ａ及び第二出力バッファー６ｂを電気的に接続させる。これにより、第一入力経路４ａが伝達する第一駆動信号を、第二出力バッファー６ｂへ入力する。そして、第二出力バッファー６ｂは、入力された第一駆動信号を増幅する。
【００３０】
また、第二切り替え制御信号の入力を受けた第二入力経路切り替え手段８ｂは、第三入力経路４ｃ及び第四出力バッファー６ｄを電気的に接続させる。これにより、第三入力経路４ｃが伝達する第三駆動信号を、第四出力バッファー６ｄへ入力する。そして、第四出力バッファー６ｄは、入力された第三駆動信号を増幅する。
一方、第二切り替え制御信号の入力を受けた第一出力経路切り替え手段１０ａは、第二出力バッファー６ｂ及び第一負荷２ａを電気的に接続させる。これにより、第二出力バッファー６ｂが増幅した第一駆動信号を、第二外部出力端子１２ｂを介して第一負荷２ａの正極側へ出力する。
【００３１】
また、第二切り替え制御信号の入力を受けた第二出力経路切り替え手段１０ｂは、第四出力バッファー６ｄ及び第一負荷２ａを電気的に接続させる。これにより、第四出力バッファー６ｄが増幅した第三駆動信号を、第四外部出力端子１２ｄを介して第一負荷２ａの負極側へ出力する。
以上により、モノラルモードでは、増幅した第一駆動信号及び第三駆動信号を第一負荷２ａへ平衡出力する。これに加え、第一駆動信号及び第三駆動信号を、それぞれ、第二出力バッファー６ｂ及び第四出力バッファー６ｄで増幅し、第一負荷２ａへ平衡出力する。
【００３２】
したがって、モノラルモードでは、第一負荷２ａに対し、第一出力バッファー６ａ及び第三出力バッファー６ｃが増幅した第一駆動信号及び第三駆動信号に加え、第二出力バッファー６ｂ及び第四出力バッファー６ｄが増幅した第一駆動信号及び第三駆動信号を、平衡出力する。すなわち、第一駆動信号及び第三駆動信号を、それぞれ、二個の出力バッファー６により増幅して、第一負荷２ａに出力する。
これにより、モノラルモードでは、第一負荷２ａ、すなわち、Ｌｃｈが再生する音声の出力が、ステレオモードと比較して、第二出力バッファー６ｂが増幅した第一駆動信号、及び第四出力バッファー６ｄが増幅した第三駆動信号に応じて増加する。
【００３３】
（第一実施形態の効果）
したがって、本実施形態の出力バッファー回路１では、モノラルモードにおいて、第一入力経路切り替え手段８ａが、第一入力経路４ａと第一出力バッファー６ａ及び第二出力バッファー６ｂとを電気的に接続させる。これに加え、第二入力経路切り替え手段８ｂが、第三入力経路４ｃと第三出力バッファー６ｃ及び第四出力バッファー６ｄとを電気的に接続させる。
【００３４】
このため、第一入力経路４ａが伝達する第一駆動信号を、第一出力バッファー６ａ及び第二出力バッファー６ｂで増幅させることが可能となる。これに加え、第三入力経路４ｃが伝達する第三駆動信号を、第三出力バッファー６ｃ及び第四出力バッファー６ｄで増幅させることが可能となる。
これにより、モノラルモードにおいて、対応する第二駆動信号の入力を受けない第二出力バッファー６ｂを用いて、第一駆動信号を増幅させることが可能となる。これに加え、対応する第四駆動信号の入力を受けない第四出力バッファー６ｄを用いて、第三駆動信号を増幅させることが可能となる。
【００３５】
その結果、出力バッファー６の面積・体積・部品点数の増加を抑制するとともに、出力バッファー回路１のドライブ能力を向上させることが可能となる。
また、本実施形態の出力バッファー回路１では、モノラルモードにおいて、第一出力経路切り替え手段１０ａが、第一出力バッファー６ａ及び第二出力バッファー６ｂと第一負荷２ａの正極側とを電気的に接続させる。これに加え、第二出力経路切り替え手段１０ｂが、第三出力バッファー６ｃ及び第四出力バッファー６ｄと第一負荷２ａの負極側とを電気的に接続させる。
【００３６】
このため、第一出力バッファー６ａ及び第二出力バッファー６ｂにより増幅させた第一駆動信号に加え、第三出力バッファー６ｃ及び第四出力バッファー６ｄにより増幅させた第三駆動信号によって、第一負荷２ａを駆動させることが可能となる。
その結果、第一負荷２ａが再生する音声の出力を、ステレオモードと比較して、第二出力バッファー６ｂが増幅した第一駆動信号、及び第四出力バッファー６ｄが増幅した第三駆動信号に応じて増加させることが可能となる。
【００３７】
さらに、本実施形態の出力バッファー回路１では、モノラルモードにおいて、第一駆動信号と逆位相の第三駆動信号を、第三出力バッファー６ｃ及び第四出力バッファー６ｄにより増幅させて、第一負荷２ａに入力する。
その結果、第一負荷２ａに対し、共に増幅させた第一駆動信号及び第三駆動信号を、平行出力することが可能となるため、ＢＴＬ接続の利点を、効率的に発揮することが可能となる。
【００３８】
（応用例）
なお、本実施形態の出力バッファー回路１では、出力バッファー回路１の構成を、入力機器と第一負荷２ａ及び第二負荷２ｂ、すなわち、入力機器と二つの負荷２とを接続する回路としたが、これに限定するものではない。すなわち、出力バッファー回路１の構成を、入力機器と三つ以上の負荷２とを接続する構成としてもよい。同様に、出力バッファー回路１の構成を、五系統以上の入力経路４と、これらの入力経路４と一対一に対応して設けた五個以上の出力バッファー６を備える構成としてもよい。この場合、入力経路切り替え手段８は、上述したモノラルモードに相等する第二入力経路接続モードにおいて、入力経路４の一つと、この入力経路４に対応する出力バッファー６を含む複数の出力バッファー６とを、電気的に接続させる。また、出力経路切り替え手段１０は、入力経路切り替え手段８が第二入力経路接続モードである場合に、入力経路切り替え手段８が入力経路４の一つと電気的に接続させた複数の出力バッファー６と、入力経路４の一つに対応する負荷２とを電気的に接続させる。
【００３９】
また、本実施形態の出力バッファー回路１では、第一出力経路切り替え手段１０ａを、第二外部出力端子１２ｂを介して、第二出力バッファー６ｂと接続したが、これに限定するものではない。すなわち、第一出力経路切り替え手段１０ａを、第二外部出力端子１２ｂを介さずに第二出力バッファー６ｂと接続して、第二外部出力端子１２ｂと第二出力バッファー６ｂとの間に配置してもよい。同様に、第二出力経路切り替え手段１０ｂを、第四外部出力端子１２ｄを介さずに第四出力バッファー６ｄと接続して、第四外部出力端子１２ｄと第四出力バッファー６ｄとの間に配置してもよい。
【００４０】
さらに、本実施形態の出力バッファー回路１では、第二外部出力端子１２ｂに、第一出力経路切り替え手段１０ａを介して、第一負荷２ａの正極側または第二負荷２ｂの正極側を電気的に接続しているが、これに限定するものではない。すなわち、第一出力経路切り替え手段１０ａを用いずに、第二外部出力端子１２ｂに、第一負荷２ａの正極側を電気的に接続してもよい。この場合、モノラルモードにおいて、第二出力バッファー６ｂが増幅する第一駆動信号の減少度合いを、第一出力経路切り替え手段１０ａの内部抵抗に応じて抑制することが可能となり、第一負荷２ａの正極側に出力する第一駆動信号を増加させることが可能となる。同様に、第二出力経路切り替え手段１０ｂを用いずに、第四外部出力端子１２ｄに、第一負荷２ａの負極側を電気的に接続してもよい。
【００４１】
また、本実施形態の出力バッファー回路１では、第一入力経路切り替え手段８ａを、第一入力経路４ａ及び第二入力経路４ｂと第二出力バッファー６ｂとの間に配置し、第二入力経路切り替え手段８ｂを、第三入力経路４ｃ及び第四入力経路４ｄと第四出力バッファー６ｄとの間に配置している。すなわち、入力経路切り替え手段８を、第二負荷２ｂ側（Ｒｃｈ側）のみに配置しているが、これに限定するものではなく、入力経路切り替え手段８を、第一負荷２ａ側（Ｌｃｈ側）のみに配置してもよい。この場合、モノラルモードにおいて、第一出力バッファー６ａにより第二駆動信号を増幅するとともに、第三出力バッファー６ｃにより第四駆動信号を増幅する。また、入力経路切り替え手段８を、第一負荷２ａ側及び第二負荷２ｂ側に配置してもよい。
【００４２】
また、本実施形態の出力バッファー回路１では、第一出力経路切り替え手段１０ａを、第二出力バッファー６ｂと第一負荷２ａ及び第二負荷２ｂとの間に配置し、第二出力経路切り替え手段１０ｂを、第四出力バッファー６ｄと第一負荷２ａ及び第二負荷２ｂとの間に配置している。すなわち、出力経路切り替え手段１０を、第二負荷２ｂ側（Ｒｃｈ側）のみに配置しているが、これに限定するものではなく、出力経路切り替え手段１０を、第一負荷２ａ側（Ｌｃｈ側）のみに配置してもよい。この場合、モノラルモードにおいて、第二負荷２ｂ、すなわち、Ｒｃｈが再生する音声の出力が、ステレオモードと比較して、第一出力バッファー６ａが増幅した第二駆動信号、及び第三出力バッファー６ｃが増幅した第四駆動信号に応じて増加する。また、出力経路切り替え手段１０を、第一負荷２ａ側及び第二負荷２ｂ側に配置してもよい。
【００４３】
また、本実施形態の出力バッファー回路１では、第一負荷２ａ及び第二負荷２ｂをスピーカーとしたが、これに限定するものではなく、第一負荷２ａ及び第二負荷２ｂを、例えば、ヘッドフォン等、スピーカー以外の音声出力装置としてもよい。
また、本実施形態の出力バッファー回路１では、入力経路切り替え手段８の構成を、第一入力経路切り替え手段８ａと、第二入力経路切り替え手段８ｂとを備える構成としたが、これに限定するものではない。すなわち、例えば、入力経路切り替え手段８の構成を、一つのスイッチング素子により形成した構成としてもよい。出力経路切り替え手段１０の構成に関しても、同様である。
【００４４】
（第二実施形態）
次に、本発明の第二実施形態について、図面を参照しつつ説明する。
（構成）
まず、図３及び図４を参照して、本実施形態の構成を説明する。なお、上述した第一実施形態のものと同様の構成については、詳細な説明を省略する。
図３及び図４は、本実施形態の出力バッファー回路１の構成を示す図である。なお、図３は、ステレオモードにおける出力バッファー回路１の状態を示す図であり、図４は、モノラルモードにおける出力バッファー回路１の状態を示す図である。
図３及び図４中に示すように、本実施形態の出力バッファー回路１は、二系統の入力経路４ａ，４ｂと、二個の出力バッファー６ａ，６ｂと、入力経路切り替え手段８と、出力経路切り替え手段１０とを備えている。
【００４５】
二系統の入力経路４ａ，４ｂは、それぞれ、入力機器から入力された駆動信号を伝達する。なお、図中及び以下の説明では、入力経路４ａを、「第一入力経路４ａ」、入力経路４ｂを、「第二入力経路４ｂ」と記載して説明する。
第一入力経路４ａは、第一負荷２ａを駆動させるための第一駆動信号（図中では、「ＬＩＮ信号」と記載する）を伝達し、第二入力経路４ｂは、第二負荷２ｂを駆動させるための第二駆動信号（図中では、「ＲＩＮ信号」と記載する）を伝達する。
【００４６】
二個の出力バッファー６ａ，６ｂは、それぞれ、二系統の入力経路４ａ，４ｂと一対一に対応させて設けてあり、入力された駆動信号を増幅して、二つの外部出力端子１２ａ，１２ｂから出力する。なお、図中及び以下の説明では、出力バッファー６ａを、「第一出力バッファー６ａ」、出力バッファー６ｂを、「第二出力バッファー６ｂ」と記載して説明する。
【００４７】
第一出力バッファー６ａは、第一入力経路４ａと対応し、第二出力バッファー６ｂは、第二入力経路４ｂと対応する。
二つの外部出力端子１２ａ，１２ｂは、それぞれ、二個の出力バッファー６ａ，６ｂと一対一に対応させて設けてある。なお、図中及び以下の説明では、外部出力端子１２ａを、「第一外部出力端子１２ａ」、外部出力端子１２ｂを、「第二外部出力端子１２ｂ」と記載して説明する。
【００４８】
第一外部出力端子１２ａは、第一出力バッファー６ａと対応し、第一負荷２ａと電気的に接続している。第二外部出力端子１２ｂは、第二出力バッファー６ｂと対応し、出力経路切り替え手段１０を介して、第一負荷２ａまたは第二負荷２ｂと電気的に接続している。
ここで、第一負荷２ａは、第一入力経路４ａ及び第一出力バッファー６ａに対応している。また、第二負荷２ｂは、第二入力経路４ｂ及び第二出力バッファー６ｂに対応している。
【００４９】
入力経路切り替え手段８は、図外のモード切り替え部から入力される切り替え制御信号に応じて、第一入力経路４ａ及び第二入力経路４ｂと第二出力バッファー６ｂとの電気的な接続状態を、第一入力経路接続モードまたは第二入力経路接続モードに切り替える。
具体的には、第一入力経路接続モードでは、第二入力経路４ｂ及び第二出力バッファー６ｂを電気的に接続させ、第二入力経路接続モードでは、第一入力経路４ａ及び第二出力バッファー６ｂを電気的に接続させる。
【００５０】
出力経路切り替え手段１０は、入力経路切り替え手段８の状態に応じて、第二出力バッファー６ｂと第一負荷２ａ及び第二負荷２ｂとの電気的な接続状態を切り替える。
具体的には、入力経路切り替え手段８が第一入力経路接続モードである場合に、第二出力バッファー６ｂ及び第二負荷２ｂを電気的に接続させ、入力経路切り替え手段８が第二入力経路接続モードである場合に、第二出力バッファー６ｂ及び第一負荷２ａを電気的に接続させる。
その他の構成は、上述した第一実施形態と同様である。
【００５１】
（動作）
次に、図３及び図４を参照しつつ、上記の構成を備えた出力バッファー回路１の動作について説明する。なお、以下の説明では、上述した第一実施形態と異なる点を中心に記載する。
まず、図３を参照して、ステレオモードとモノラルモードに共通する出力バッファー回路１の動作について説明する。
ステレオモード及びモノラルモードでは、第一入力経路４ａが伝達する第一駆動信号を、第一出力バッファー６ａへ入力して、第一出力バッファー６ａにより、入力された第一駆動信号を増幅する。
そして、第一出力バッファー６ａが増幅した第一駆動信号を、第一外部出力端子１２ａを介して第一負荷２ａへ出力する。
以上により、ステレオモード及びモノラルモードでは、共に、第一駆動信号を第一出力バッファー６ａで増幅し、第一負荷２ａへ出力する。
【００５２】
次に、図３を参照して、ステレオモードにおける出力バッファー回路１の動作について説明する。
ステレオモードでは、モード切り替え部が、入力経路切り替え手段８及び出力経路切り替え手段１０へ、第一切り替え制御信号を出力する。
第一切り替え制御信号の入力を受けた入力経路切り替え手段８は、第二入力経路４ｂ及び第二出力バッファー６ｂを電気的に接続させる。これにより、第二入力経路４ｂが伝達する第二駆動信号を、第二出力バッファー６ｂへ入力する。そして、第二出力バッファー６ｂは、入力された第二駆動信号を増幅する。
【００５３】
一方、第一切り替え制御信号の入力を受けた出力経路切り替え手段１０は、第二出力バッファー６ｂ及び第二負荷２ｂを電気的に接続させる。これにより、第二出力バッファー６ｂが増幅した第二駆動信号を、第二外部出力端子１２ｂを介して第二負荷２ｂへ出力する。
以上により、ステレオモードでは、増幅した第一駆動信号を第一負荷２ａへ出力するとともに、第二駆動信号を第二出力バッファー６ｂで増幅して、第二負荷２ｂへ出力する。
したがって、ステレオモードでは、第一負荷２ａに対し、第一出力バッファー６ａ、すなわち、一個の出力バッファー６が増幅した第一駆動信号を出力する。また、第二負荷２ｂに対し、第二出力バッファー６ｂ、すなわち、一個の出力バッファー６が増幅した第二駆動信号を出力する。
【００５４】
次に、図４を参照して、モノラルモードにおける出力バッファー回路１の動作について説明する。
モノラルモードでは、モード切り替え部が、入力経路切り替え手段８及び出力経路切り替え手段１０へ、第二切り替え制御信号を出力する。
第二切り替え制御信号の入力を受けた入力経路切り替え手段８は、第一入力経路４ａ及び第二出力バッファー６ｂを電気的に接続させる。これにより、第一入力経路４ａが伝達する第一駆動信号を、第二出力バッファー６ｂへ入力する。そして、第二出力バッファー６ｂは、入力された第一駆動信号を増幅する。
【００５５】
一方、第二切り替え制御信号の入力を受けた出力経路切り替え手段１０は、第二出力バッファー６ｂ及び第一負荷２ａを電気的に接続させる。これにより、第二出力バッファー６ｂが増幅した第一駆動信号を、第二外部出力端子１２ｂを介して第一負荷２ａへ出力する。
以上により、モノラルモードでは、増幅した第一駆動信号を第一負荷２ａへ出力する。これに加え、第一駆動信号を第二出力バッファー６ｂで増幅し、第一負荷２ａへ出力する。
【００５６】
したがって、モノラルモードでは、第一負荷２ａに対し、第一出力バッファー６ａが増幅した第一駆動信号に加え、第二出力バッファー６ｂが増幅した第一駆動信号を出力する。すなわち、第一駆動信号を、二個の出力バッファー６により増幅して、第一負荷２ａに出力する。
これにより、モノラルモードでは、第一負荷２ａ、すなわち、Ｌｃｈが再生する音声の出力が、ステレオモードと比較して、第二出力バッファー６ｂが増幅した第一駆動信号に応じて増加する。
その他の動作は、上述した第一実施形態と同様である。
【００５７】
（第二実施形態の効果）
したがって、本実施形態の出力バッファー回路１では、モノラルモードにおいて、入力経路切り替え手段８が、第一入力経路４ａと第一出力バッファー６ａ及び第二出力バッファー６ｂとを電気的に接続させる。
このため、第一入力経路４ａが伝達する第一駆動信号を、第一出力バッファー６ａ及び第二出力バッファー６ｂで増幅させることが可能となり、モノラルモードにおいて、対応する第二駆動信号の入力を受けない第二出力バッファー６ｂを用いて、第一駆動信号を増幅させることが可能となる。
その結果、出力バッファー６の面積・体積・部品点数の増加を抑制するとともに、出力バッファー回路１のドライブ能力を向上させることが可能となる。
【００５８】
また、本実施形態の出力バッファー回路１では、モノラルモードにおいて、出力経路切り替え手段１０が、第一出力バッファー６ａ及び第二出力バッファー６ｂ及び第一負荷２ａを電気的に接続させる。
このため、第一出力バッファー６ａにより増幅させた第一駆動信号に加え、第二出力バッファー６ｂにより増幅させた第一駆動信号によって、第一負荷２ａを駆動させることが可能となる。
その結果、第一負荷２ａが再生する音声の出力を、ステレオモードと比較して、第二出力バッファー６ｂが増幅した第一駆動信号に応じて増加させることが可能となる。
【００５９】
（第三実施形態）
次に、本発明の第三実施形態について、図面を参照しつつ説明する。
（構成）
まず、図５及び図６を参照して、本実施形態の構成を説明する。なお、上述した第一実施形態のものと同様の構成については、詳細な説明を省略する。
図５及び図６は、本実施形態の出力バッファー回路１の構成を示す図である。なお、図５は、ステレオモードにおける出力バッファー回路１の状態を示す図であり、図６は、モノラルモードにおける出力バッファー回路１の状態を示す図である。
図５及び図６中に示すように、本実施形態の出力バッファー回路１は、二系統の入力経路４ａ，４ｂと、二個の出力バッファー６ａ，６ｂと、入力経路切り替え手段８と、出力経路切り替え手段１０とを備えている。
【００６０】
二系統の入力経路４ａ，４ｂは、それぞれ、入力機器から入力端子１４ａ，１４ｂを介して入力された駆動信号を伝達する。なお、図中及び以下の説明では、入力経路４ａを、「第一入力経路４ａ」、入力経路４ｂを、「第二入力経路４ｂ」と記載して説明する。同様に、図中及び以下の説明では、入力端子１４ａを、「第一入力端子１４ａ」、入力端子１４ｂを、「第二入力端子１４ｂ」と記載して説明する。
【００６１】
第一入力経路４ａは、第一負荷２ａを駆動させるための第一駆動信号（図中では、「ＬＩＮ信号」と記載する）を伝達し、第二入力経路４ｂは、第二負荷２ｂを駆動させるための第二駆動信号（図中では、「ＲＩＮ信号」と記載する）を伝達する。
二個の出力バッファー６ａ，６ｂは、それぞれ、二系統の入力経路４ａ，４ｂと一対一に対応させて設けてあり、入力された駆動信号を増幅して、二つの外部出力端子１２ａ，１２ｂから出力する。なお、図中及び以下の説明では、出力バッファー６ａを、「第一出力バッファー６ａ」、出力バッファー６ｂを、「第二出力バッファー６ｂ」と記載して説明する。
【００６２】
第一出力バッファー６ａは、第一入力経路４ａと対応しており、第一制御部１６ａと、第一制御部１６ａと一対一に対応する第一出力部１８ａとを備えている。
第一制御部１６ａは、例えば、Ｎチャンネル型トランジスタ及びＰチャンネル型トランジスタを備えた正転増幅器である。また、第一制御部１６ａは、第一入力抵抗２０ａを介して、第一入力経路４ａと電気的に接続している。これにより、第一制御部１６ａは、第一駆動信号が第一入力抵抗２０ａを通過して生成した第一基準駆動信号ＬＮＩＮと、第一基準電圧信号ＬＰＩＮの入力を受ける。
【００６３】
第一出力部１８ａは、第一Ｐチャンネル型トランジスタ２２ａと、第一Ｎチャンネル型トランジスタ２４ａを備えて形成してあり、第一制御部１６ａと電気的に接続している。また、第一出力部１８ａの出力側は、第一帰還抵抗２６ａを介して、第一制御部１６ａの入力側、具体的には、第一制御部１６ａと第一入力抵抗２０ａとの間と電気的に接続されている。
【００６４】
第一Ｐチャンネル型トランジスタ２２ａは、第一制御部１６ａから、第一Ｎ側制御信号ＶＮ＿Ｌの入力を受け、第一Ｎチャンネル型トランジスタ２４ａは、第一制御部１６ａから、第一Ｐ側制御信号ＶＰ＿Ｌの入力を受ける。
第二出力バッファー６ｂは、第二入力経路４ｂと対応しており、第二制御部１６ｂと、第二制御部１６ｂと一対一に対応する第二出力部１８ｂとを備えている。
【００６５】
第二制御部１６ｂは、第一制御部１６ａと同様、例えば、Ｎチャンネル型トランジスタ及びＰチャンネル型トランジスタを備えた正転増幅器である。また、第二制御部１６ｂは、第二入力抵抗２０ｂを介して、第二入力経路４ｂと電気的に接続している。これにより、第二制御部１６ｂは、第二駆動信号が第二入力抵抗２０ｂを通過して生成した第二基準駆動信号ＲＮＩＮと、第二基準電圧信号ＲＰＩＮの入力を受ける。
【００６６】
第二出力部１８ｂは、第二Ｐチャンネル型トランジスタ２２ｂと、第二Ｎチャンネル型トランジスタ２４ｂを備えて形成してあり、第二制御部１６ｂと、入力経路切り替え手段８を介して電気的に接続している。また、第二出力部１８ｂの出力側は、第二帰還抵抗２６ｂ及び帰還経路切り替え手段２８を介して、第二制御部１６ｂの入力側、具体的には、第二制御部１６ｂと第二入力抵抗２０ｂとの間と電気的に接続されている。
【００６７】
ここで、第一負荷２ａは、第一入力経路４ａ及び第一出力バッファー６ａに対応している。また、第二負荷２ｂは、第二入力経路４ｂ及び第二出力バッファー６ｂに対応している。
入力経路切り替え手段８は、第一入力経路切り替え手段８ａと、第二入力経路切り替え手段８ｂとを備えている。第一入力経路切り替え手段８ａ及び第二入力経路切り替え手段８ｂは、例えば、スイッチング素子により形成する。
【００６８】
第一入力経路切り替え手段８ａは、図外のモード切り替え部から入力される切り替え制御信号に応じて、第一制御部１６ａ及び第二制御部１６ｂと第二出力部１８ｂとの電気的な接続状態を、第一入力経路接続モードまたは第二入力経路接続モードに切り替える。
具体的には、第一入力経路接続モードでは、第二制御部１６ｂ及び第二Ｐチャンネル型トランジスタ２２ｂを電気的に接続させ、第二入力経路接続モードでは、第一制御部１６ａ及び第二Ｐチャンネル型トランジスタ２２ｂを電気的に接続させる。
【００６９】
第二入力経路切り替え手段８ｂは、第一入力経路切り替え手段８ａと同様、モード切り替え部から入力される切り替え制御信号に応じて、第一制御部１６ａ及び第二制御部１６ｂと第二出力部１８ｂとの電気的な接続状態を、第一入力経路接続モードまたは第二入力経路接続モードに切り替える。
具体的には、第一入力経路接続モードでは、第二制御部１６ｂ及び第二Ｎチャンネル型トランジスタ２４ｂを電気的に接続させ、第二入力経路接続モードでは、第一制御部１６ａ及び第二Ｎチャンネル型トランジスタ２４ｂを電気的に接続させる。
【００７０】
以上により、第二入力経路接続モードでは、第二Ｐチャンネル型トランジスタ２２ｂは、第二制御部１６ｂから、第二Ｎ側制御信号ＶＮ＿Ｒの入力を受け、第二Ｎチャンネル型トランジスタ２４ｂは、第二制御部１６ｂから、第二Ｐ側制御信号ＶＰ＿Ｒの入力を受ける。
したがって、入力経路切り替え手段８は、第一入力経路接続モードでは、同一の出力バッファー６が備える制御部１６と出力部１８とを、それぞれ電気的に接続させる。また、第二入力経路接続モードでは、制御部１６の一つと、この制御部１６に対応する出力部１８を含む複数の出力部１８とを、電気的に接続させる。
【００７１】
帰還経路切り替え手段２８は、第一入力経路切り替え手段８ａ及び第二入力経路切り替え手段８ｂと同様、例えば、スイッチング素子により形成する。
また、帰還経路切り替え手段２８は、入力経路切り替え手段８の状態に応じて、第二出力部１８ｂの出力側及び第二制御部１６ｂの入力側の電気的な接続状態を切り替える。
具体的には、入力経路切り替え手段８が第一入力経路接続モードである場合に、第二出力部１８ｂの出力側及び第二制御部１６ｂの入力側を電気的に接続させる。一方、入力経路切り替え手段８が第二入力経路接続モードである場合に、第二出力部１８ｂの出力側及び第二制御部１６ｂの入力側の電気的な接続を遮断する。
【００７２】
以上により、帰還経路切り替え手段２８は、入力経路切り替え手段８が第一入力経路接続モードである場合に、第二出力部１８ｂと第二制御部１６ｂとを電気的に接続させる。また、入力経路切り替え手段８が第二入力経路接続モードである場合に、第二出力部１８ｂと第二制御部１６ｂとの電気的な接続を遮断して、第二出力部１８ｂを第二制御部１６ｂから電気的に切り離す。
【００７３】
二つの外部出力端子１２ａ，１２ｂは、それぞれ、第一出力部１８ａ及び第二出力部１８ｂと一対一に対応させて設けてある。なお、図中及び以下の説明では、外部出力端子１２ａを、「第一外部出力端子１２ａ」、外部出力端子１２ｂを、「第二外部出力端子１２ｂ」と記載して説明する。
第一外部出力端子１２ａは、第一出力部１８ａと対応し、第一負荷２ａと電気的に接続している。第二外部出力端子１２ｂは、第二出力部１８ｂと対応し、出力経路切り替え手段１０を介して、第一負荷２ａまたは第二負荷２ｂと電気的に接続している。
【００７４】
出力経路切り替え手段１０は、入力経路切り替え手段８の状態に応じて、第二出力部１８ｂと第一負荷２ａ及び第二負荷２ｂとの電気的な接続状態を切り替える。
具体的には、入力経路切り替え手段８が第一入力経路接続モードである場合に、第二出力部１８ｂ及び第二負荷２ｂを電気的に接続させ、入力経路切り替え手段８が第二入力経路接続モードである場合に、第二出力部１８ｂ及び第一負荷２ａを電気的に接続させる。
【００７５】
以上により、出力経路切り替え手段１０は、入力経路切り替え手段８が第一入力経路接続モードである場合に、出力部１８と、その出力部１８を備える出力バッファー６に対応する負荷２とを電気的に接続させる。また、入力経路切り替え手段８が第二入力経路接続モードである場合に、第二入力経路接続モードにおいて制御部１６の一つである複列接続制御部（本実施形態では、第一制御部１６ａ）と電気的に接続させた複数の出力部１８と、複列接続制御部を備える出力バッファー６に対応する負荷２とを電気的に接続させる。
その他の構成は、上述した第一実施形態と同様である。
【００７６】
（動作）
次に、図５及び図６を参照しつつ、上記の構成を備えた出力バッファー回路１の動作について説明する。なお、以下の説明では、上述した第一実施形態と異なる点を中心に記載する。
まず、図５を参照して、ステレオモードとモノラルモードに共通する出力バッファー回路１の動作について説明する。
ステレオモード及びモノラルモードでは、第一制御部１６ａから、第一Ｎ側制御信号ＶＮ＿Ｌ及び第一Ｐ側制御信号ＶＰ＿Ｌを、第一出力部１８ａへ入力して、第一出力部１８ａにより、入力された第一Ｎ側制御信号ＶＮ＿Ｌ及び第一Ｐ側制御信号ＶＰ＿Ｌを増幅する。
【００７７】
そして、第一出力部１８ａが増幅した第一Ｎ側制御信号ＶＮ＿Ｌ及び第一Ｐ側制御信号ＶＰ＿Ｌを、第一外部出力端子１２ａを介して第一負荷２ａへ出力する。
以上により、ステレオモード及びモノラルモードでは、共に、第一Ｎ側制御信号ＶＮ＿Ｌ及び第一Ｐ側制御信号ＶＰ＿Ｌを第一出力部１８ａで増幅し、第一負荷２ａへ出力する。
【００７８】
次に、図５を参照して、ステレオモードにおける出力バッファー回路１の動作について説明する。
ステレオモードでは、モード切り替え部が、第一入力経路切り替え手段８ａ、第二入力経路切り替え手段８ｂ、帰還経路切り替え手段２８及び出力経路切り替え手段１０へ、第一切り替え制御信号を出力する。
第一切り替え制御信号の入力を受けた第一入力経路切り替え手段８ａは、第二制御部１６ｂ及び第二Ｐチャンネル型トランジスタ２２ｂを電気的に接続させる。
また、第一切り替え制御信号の入力を受けた第二入力経路切り替え手段８ｂは、第二制御部１６ｂ及び第二Ｎチャンネル型トランジスタ２４ｂを電気的に接続させる。
【００７９】
一方、第一切り替え制御信号の入力を受けた帰還経路切り替え手段２８は、第二出力部１８ｂの出力側及び第二制御部１６ｂの入力側を電気的に接続させる。これにより、第二制御部１６ｂが出力する第二Ｎ側制御信号ＶＮ＿Ｒ及び第二Ｐ側制御信号ＶＰ＿Ｒを、それぞれ、第二Ｐチャンネル型トランジスタ２２ｂ及び第二Ｎチャンネル型トランジスタ２４ｂへ入力する。そして、第二Ｐチャンネル型トランジスタ２２ｂは、入力された第二Ｎ側制御信号ＶＮ＿Ｒを増幅し、第二Ｎチャンネル型トランジスタ２４ｂは、入力された第二Ｐ側制御信号ＶＰ＿Ｒを増幅する。
【００８０】
また、第一切り替え制御信号の入力を受けた出力経路切り替え手段１０は、第二出力部１８ｂ及び第二負荷２ｂを電気的に接続させる。これにより、第二出力部１８が増幅した第二Ｎ側制御信号ＶＮ＿Ｒ及び第二Ｐ側制御信号ＶＰ＿Ｒを、第二外部出力端子１２ｂを介して第二負荷２ｂへ出力する。
以上により、ステレオモードでは、増幅した第一Ｎ側制御信号ＶＮ＿Ｌ及び第一Ｐ側制御信号ＶＰ＿Ｌを第一負荷２ａへ出力するとともに、第二Ｎ側制御信号ＶＮ＿Ｒ及び第二Ｐ側制御信号ＶＰ＿Ｒを第二出力部１８ｂで増幅して、第二負荷２ｂへ出力する。
したがって、ステレオモードでは、第一負荷２ａに対し、第一出力部１８ａ、すなわち、一個の出力部１８が増幅した第一Ｎ側制御信号ＶＮ＿Ｌ及び第一Ｐ側制御信号ＶＰ＿Ｌを出力する。また、第二負荷２ｂに対し、第二出力部１８ｂ、すなわち、一個の出力部１８が増幅した第二Ｎ側制御信号ＶＮ＿Ｒ及び第二Ｐ側制御信号ＶＰ＿Ｒを出力する。
【００８１】
次に、図６を参照して、モノラルモードにおける出力バッファー回路１の動作について説明する。
モノラルモードでは、モード切り替え部が、第一入力経路切り替え手段８ａ、第二入力経路切り替え手段８ｂ、帰還経路切り替え手段２８及び出力経路切り替え手段１０へ、第二切り替え制御信号を出力する。
第二切り替え制御信号の入力を受けた第一入力経路切り替え手段８ａは、第一制御部１６ａ及び第二Ｐチャンネル型トランジスタ２２ｂを電気的に接続させる。
また、第二切り替え制御信号の入力を受けた第二入力経路切り替え手段８ｂは、第一制御部１６ａ及び第二Ｎチャンネル型トランジスタ２４ｂを電気的に接続させる。
【００８２】
一方、第二切り替え制御信号の入力を受けた帰還経路切り替え手段２８は、第二出力部１８ｂの出力側及び第二制御部１６ｂの入力側の電気的な接続を遮断する。これにより、第一制御部１６ａが出力する第一Ｎ側制御信号ＶＮ＿Ｌ及び第一Ｐ側制御信号ＶＰ＿Ｌを、それぞれ、第二Ｐチャンネル型トランジスタ２２ｂ及び第二Ｎチャンネル型トランジスタ２４ｂへ入力する。そして、第二Ｐチャンネル型トランジスタ２２ｂは、入力された第一Ｎ側制御信号ＶＮ＿Ｌを増幅し、第二Ｎチャンネル型トランジスタ２４ｂは、入力された第一Ｐ側制御信号ＶＰ＿Ｌを増幅する。
【００８３】
また、第二切り替え制御信号の入力を受けた出力経路切り替え手段１０は、第二出力部１８ｂ及び第一負荷２ａを電気的に接続させる。これにより、第二出力部１８ｂが増幅した第一Ｎ側制御信号ＶＮ＿Ｌ及び第一Ｐ側制御信号ＶＰ＿Ｌを、第二外部出力端子１２ｂを介して第一負荷２ａへ出力する。
以上により、モノラルモードでは、第一出力部１８ａが増幅した第一Ｎ側制御信号ＶＮ＿Ｌ及び第一Ｐ側制御信号ＶＰ＿Ｌを、第一負荷２ａへ出力する。これに加え、第一Ｎ側制御信号ＶＮ＿Ｌ及び第一Ｐ側制御信号ＶＰ＿Ｌを第二出力部１８ｂで増幅し、第一負荷２ａへ出力する。
【００８４】
したがって、モノラルモードでは、第一負荷２ａに対し、第一出力部１８ａが増幅した第一Ｎ側制御信号ＶＮ＿Ｌ及び第一Ｐ側制御信号ＶＰ＿Ｌに加え、第二出力部１８ｂが増幅した第一Ｎ側制御信号ＶＮ＿Ｌ及び第一Ｐ側制御信号ＶＰ＿Ｌを出力する。すなわち、第一Ｎ側制御信号ＶＮ＿Ｌ及び第一Ｐ側制御信号ＶＰ＿Ｌを、二個の出力部１８により増幅して、第一負荷２ａに出力する。
これにより、モノラルモードでは、第一負荷２ａ、すなわち、Ｌｃｈが再生する音声の出力が、ステレオモードと比較して、第二出力部１８ｂが増幅した第一Ｎ側制御信号ＶＮ＿Ｌ及び第一Ｐ側制御信号ＶＰ＿Ｌに応じて増加する。
その他の処理は、上述した第一実施形態と同様である。
【００８５】
（第三実施形態の効果）
したがって、本実施形態の出力バッファー回路１では、モノラルモードにおいて、入力経路切り替え手段８が、第一制御部１６ａと第一出力部１８ａ及び第二出力部１８ｂとを電気的に接続させる。また、帰還経路切り替え手段２８が、第二出力部１８ｂの出力側及び第二制御部１６ｂの入力側の電気的な接続を遮断する。
このため、第一制御部１６ａが出力する第一Ｎ側制御信号ＶＮ＿Ｌ及び第一Ｐ側制御信号ＶＰ＿Ｌを、第一出力部１８ａ及び第二出力部１８ｂで増幅させることが可能となる。これにより、モノラルモードにおいて、対応する第二出力部１８ｂから制御信号の入力を受けない第二出力部１８ｂを用いて、第一Ｎ側制御信号ＶＮ＿Ｌ及び第一Ｐ側制御信号ＶＰ＿Ｌを増幅させることが可能となる。
【００８６】
その結果、出力部１８の面積・体積・部品点数の増加を抑制して、出力バッファー６の面積・体積・部品点数の増加を抑制するとともに、出力バッファー回路１のドライブ能力を向上させることが可能となる。
また、本実施形態の出力バッファー回路１では、モノラルモードにおいて、出力経路切り替え手段１０が、第一出力部１８ａ及び第二出力部１８ｂ及び第一負荷２ａを電気的に接続させる。
【００８７】
このため、第一出力部１８ａにより増幅させた第一Ｎ側制御信号ＶＮ＿Ｌ及び第一Ｐ側制御信号ＶＰ＿Ｌに加え、第二出力部１８ｂにより増幅させた第一Ｎ側制御信号ＶＮ＿Ｌ及び第一Ｐ側制御信号ＶＰ＿Ｌによって、第一負荷２ａを駆動させることが可能となる。
その結果、第一負荷２ａが再生する音声の出力を、ステレオモードと比較して、第二出力部１８ｂが増幅した第一Ｎ側制御信号ＶＮ＿Ｌ及び第一Ｐ側制御信号ＶＰ＿Ｌに応じて増加させることが可能となる。
【００８８】
また、第一出力バッファー６ａと第二出力バッファー６ｂに、それぞれ、共通の第一駆動信号を入力した場合、各制御部の性能のバラツキによって発生するオフセット電圧により、各出力部１８の出力を電気的に接続した時に、出力部１８ａの出力と出力部１８ｂの出力の間に生じる電位差によって出力部１８の出力間に電流が流れ、消費電流が増加してしまう。
しかしながら、本実施形態の出力バッファー回路１では、第一出力バッファー６ａ及び第二出力バッファー６ｂのうち、第一出力部１８ａ及び第二出力部１８ｂ、すなわち、出力部１８のみを共有して、第一Ｎ側制御信号ＶＮ＿Ｌ及び第一Ｐ側制御信号ＶＰ＿Ｌを増幅させる。
【００８９】
その結果、第一出力バッファー６ａと第二出力バッファー６ｂに、それぞれ、共通の第一駆動信号を入力した場合と比較して、制御部１６を共有する事により、第一制御部１６ａと第二制御部１６ｂのオフセット電圧による、出力部１８ａの出力と出力部１８ｂの出力間に生じる出力電位差の発生、及び前記出力間に流れる電流による消費電流の増加を抑制すると同時に、第一負荷２ａにおける最大出力電力を増加させることが可能となる。
【図面の簡単な説明】
【００９０】
【図１】ステレオモードにおける、本発明の第一実施形態の出力バッファー回路１の状態を示す図である。
【図２】モノラルモードにおける、本発明の第一実施形態の出力バッファー回路１の状態を示す図である。
【図３】ステレオモードにおける、本発明の第二実施形態の出力バッファー回路１の状態を示す図である。
【図４】モノラルモードにおける、本発明の第二実施形態の出力バッファー回路１の状態を示す図である。
【図５】ステレオモードにおける、本発明の第三実施形態の出力バッファー回路１の状態を示す図である。
【図６】モノラルモードにおける、本発明の第三実施形態の出力バッファー回路１の状態を示す図である。
【符号の説明】
【００９１】
１    出力バッファー回路
２    負荷
４    入力経路
６    出力バッファー
８    入力経路切り替え手段
１０  出力経路切り替え手段
１２  外部出力端子
１４  入力端子
１６  制御部
１８  出力部
２０  入力抵抗
２２  Ｐチャンネル型トランジスタ
２４  Ｎチャンネル型トランジスタ
２６  帰還抵抗
２８  帰還経路切り替え手段
【図１】
0005336635.tif 000002
【図２】
0005336635.tif 000003
【図３】
0005336635.tif 000004
【図４】
0005336635.tif 000005
【図５】
0005336635.tif 000006
【図６】
0005336635.tif 000007